(57)【要約】【課題】  電子ペンで複数枚の用紙に記入しながらプレゼンテーションを行うことができる端末装置を提供する。【解決手段】  プレゼンテーション・システム１Ａは、プレゼンテーション用紙２と、聴取者４に対して発表する発表者６が使用する電子ペン７と、電子ペン７から記入情報等を受信してディスプレイに記入内容を表示する端末装置８Ａと、端末装置８Ａから表示情報を受信してスクリーン９に映し出すプロジェクター１１とから構成される。端末装置８Ａは、電子ペン７でプレゼン用紙２に記入されたページ番号によって、各プレゼン用紙２を識別し、電子ペン７で記入しているプレゼン用紙２を代える都度、ディスプレイの表示を、当該プレゼン用紙２に切換えて、既に当該用紙２に記入されていた記入内容を表示するとともに、さらに新しく記入されている記入内容もリアルタイムで表示させる。【選択図】図１
0003137005.tif 000002
【実用新案登録請求の範囲】
【請求項１】
複数の用紙に対して、電子ペンを用いて記入することで、前記電子ペンから少なくとも記入した時のペン先部の位置座標を含む記入情報を受信する端末装置であって、
前記記入情報を受信する受信手段と、
前記記入情報を記憶する記憶手段と、
前記電子ペンによって用紙に記入された識別情報に対応した記入情報に基づいて各用紙を識別し、当該用紙に記入された筆跡を表示手段に表示させ、前記電子ペンによって別の用紙に記入された識別情報に対応した記入情報に基づいて別の用紙を識別した場合に、表示手段に表示する対象を当該別の用紙に切換えるとともに、当該別の用紙についての記入情報が前記記憶手段に記憶されていれば当該別の用紙についての記入情報を記憶手段から読み出し、前記記憶手段から読み出した記入情報に基づいて、電子ペンによる筆跡を表示手段に表示させ、更に、前記受信手段によって引き続き受信される記入情報に基づいて電子ペンによる新たな筆跡をリアルタイムで表示させる処理手段と
を備えることを特徴とする端末装置。
【請求項２】
複数の用紙に対して、電子ペンを用いて記入することで、前記電子ペンから少なくとも記入した時のペン先部の位置座標を含む記入情報を受信する端末装置であって、
前記記入情報を受信する受信手段と、
前記記入情報を記憶する記憶手段と、
前記電子ペンによって指定された用紙識別領域への記入情報に基づいて各用紙を識別し、当該用紙に記入された筆跡を表示手段に表示させ、前記電子ペンによって別の用紙で指定された別の用紙識別領域への記入情報に基づいて別の用紙を識別した場合に、表示手段に表示する対象を当該別の用紙に切換えるとともに、当該別の用紙についての記入情報が前記記憶手段に記憶されていれば当該別の用紙についての記入情報を記憶手段から読み出し、前記記憶手段から読み出した記入情報に基づいて、電子ペンによる筆跡を表示手段に表示させ、更に、前記受信手段によって引き続き受信される記入情報に基づいて電子ペンによる新たな筆跡をリアルタイムで表示させる処理手段と
を備えることを特徴とする端末装置。
【請求項３】
異なるコード化パターンが印刷された複数の用紙に対して、電子ペンを用いて記入することで、前記電子ペンから少なくとも記入した時のペン先部の位置座標を含む記入情報を受信する端末装置であって、
前記記入情報を受信する受信手段と、
前記記入情報を記憶する記憶手段と、
各用紙に印刷された異なるコード化パターンの相違に基づいて各用紙を識別し、当該用紙に記入された筆跡を表示手段に表示させ、前記電子ペンによって記入された別の用紙に印刷された異なるコード化パターンの相違に基づいて別の用紙を識別した場合に、表示手段に表示する対象を当該別の用紙に切換えるとともに、当該別の用紙についての記入情報が前記記憶手段に記憶されていれば当該別の用紙についての記入情報を前記記憶手段から読み出し、前記記憶手段から読み出した記入情報に基づいて、電子ペンによる筆跡を表示させ、更に、前記受信手段によって引き続き受信される記入情報に基づいて電子ペンによる新たな筆跡をリアルタイムで表示させる処理手段と
を備えることを特徴とする端末装置。
【考案の詳細な説明】
【技術分野】
【０００１】
本考案は、電子ペンから情報を受信して処理する端末装置に関する。
【背景技術】
【０００２】
近年、記入した情報を電子化する電子ペンが開発されており、その代表的なものとしてスウェーデンのAnoto 社が開発した「アノトペン（Anoto pen）」が知られている。アノトペンは、所定のドットパターンが印刷された専用紙とともに使用される。アノトペンは、ペン先部に、文字等を書くための通常のインクカートリッジに加えて、専用紙に印刷されたドットパターンを撮像するための小型カメラと、撮像したドットパターンから専用紙における位置座標を演算するプロセッサと、演算された位置座標等を外部機器へ送信するデータ通信ユニットとを搭載している。利用者が専用紙上にアノトペンで文字等を書いたり、専用紙上に図案化されている画像にチェックマークを記入したりすると、ペンの移動に伴って小型カメラが専用紙に印刷されたドットパターンを撮像し、プロセッサによって演算された連続する位置座標から、利用者が書き込んだ文字、画像などの記入情報が認識される。そして、この記入情報が、データ通信ユニットによりアノトペンから近くのパーソナルコンピュータや携帯電話などの端末装置に送信される（例えば、特許文献１参照）。
【０００３】
そして、これまでに、このような電子ペンを用いたシステムを用いて、複数枚の用紙に対して電子ペンで記入した場合に、記入された情報を更新して記録する文書管理システムが提案されている（特許文献２）。また、地図帳にドットパターンを印刷し、電子ペンで指したページの地図を端末装置に表示することも提案されている（特許文献３）。また、スタイラスペンとデジタイザを用いたシステムとして、プレゼンテーション・システムも提案されている（特許文献４）。
【０００４】
【特許文献１】特表２００３−５１１７６１号公報
【特許文献２】特開２００６−１２７３９６号公報
【特許文献３】特開２００３−２８７４３２号公報
【特許文献４】特開平２−１８８８１８号公報
【特許文献５】特表２００３−５２８３８７号公報
【特許文献６】特表２００３−５２９９８５号公報
【特許文献７】特開２００３−３０８１６９号公報
【特許文献８】特開２００４−３６２０２３号公報
【考案の開示】
【考案が解決しようとする課題】
【０００５】
ところで、特許文献４に示されるようなプレゼンテーション・システムでは、デジタイザを利用していたため、プレゼンテーション中に記入した内容は紙の文書としては残らず、また、特許文献２に示されるような文書管理システムでは、端末装置等にプレゼンテーション中に複数の用紙に記入しながら内容を表示することはできず、不便であった。そこで、本考案は、電子ペンで複数枚の用紙に記入しながらプレゼンテーションを行うことができる端末装置を提供する。
【課題を解決するための手段】
【０００６】
本考案に係る端末装置は、複数の用紙に対して、電子ペンを用いて記入することで、前記電子ペンから少なくとも記入した時のペン先部の位置座標を含む記入情報を受信する端末装置であって、前記記入情報を受信する受信手段と、前記記入情報を記憶する記憶手段と、前記電子ペンによって用紙に記入された識別情報に対応した記入情報に基づいて各用紙を識別し、当該用紙に記入された筆跡を表示手段に表示させ、前記電子ペンによって別の用紙に記入された識別情報に対応した記入情報に基づいて別の用紙を識別した場合に、表示手段に表示する対象を当該別の用紙に切換えるとともに、当該別の用紙についての記入情報が前記記憶手段に記憶されていれば当該別の用紙についての記入情報を記憶手段から読み出し、前記記憶手段から読み出した記入情報に基づいて、電子ペンによる筆跡を表示手段に表示させ、更に、前記受信手段によって引き続き受信される記入情報に基づいて電子ペンによる新たな筆跡をリアルタイムで表示させる処理手段とを備えることを特徴とする。
【０００７】
この端末装置によれば、各用紙に数字などの異なる識別情報を電子ペンで記入すると、端末装置は、電子ペンから、その識別情報を記入したときに生成されるペン先部の位置座標を含む記入情報を受信手段によって受信し、記憶手段に記憶する。そして、その識別情報に対応した記入情報によって処理手段は、各用紙を識別し、当該用紙に記入された筆跡を表示手段に表示させる。また、電子ペンによって別の用紙に記入した識別情報に対応した記入情報に基づいて別の用紙を識別した場合に、表示手段に表示する対象を当該別の用紙に切換えるとともに、当該別の用紙についての記入情報が記憶手段に記憶されていれば当該別の用紙についての記入情報を記憶手段から読み出し、記憶手段から読み出した記入情報に基づいて、電子ペンによる筆跡を表示させ、更に、受信手段によって引き続き受信される記入情報に基づいて電子ペンの筆跡をリアルタイムで表示させる。したがって、電子ペンで記入している用紙を代える都度、処理手段は、表示手段の表示を、代えた後の用紙に切換えて、既に記入済みの記入内容を表示するとともに、さらに新しく記入し続けられている記入内容もリアルタイムで表示させる。
【０００８】
または、本考案に係る端末装置は、複数の用紙に対して、電子ペンを用いて記入することで、前記電子ペンから少なくとも記入した時のペン先部の位置座標を含む記入情報を受信する端末装置であって、前記記入情報を受信する受信手段と、前記記入情報を記憶する記憶手段と、前記電子ペンによって指定された用紙識別領域への記入情報に基づいて各用紙を識別し、当該用紙に記入された筆跡を表示手段に表示させ、前記電子ペンによって別の用紙で指定された別の用紙識別領域への記入情報に基づいて別の用紙を識別した場合に、表示手段に表示する対象を当該別の用紙に切換えるとともに、当該別の用紙についての記入情報が前記記憶手段に記憶されていれば当該別の用紙についての記入情報を記憶手段から読み出し、前記記憶手段から読み出した記入情報に基づいて、電子ペンによる筆跡を表示手段に表示させ、更に、前記受信手段によって引き続き受信される記入情報に基づいて電子ペンによる新たな筆跡をリアルタイムで表示させる処理手段とを備えることを特徴とする。
【０００９】
この端末装置によれば、用紙に設けられた用紙識別領域を電子ペンでマークやタップ等をすることにより指定すると、端末装置は、電子ペンから、その用紙識別領域を指定したときに生成されるペン先部の位置座標を含む記入情報を受信手段によって受信し、記憶手段に記憶する。そして、その用紙識別領域に対応した記入情報によって処理手段は、各用紙を識別し、当該用紙に記入された筆跡を表示手段に表示させる。また、電子ペンによって別の用紙に用紙に設けられた異なる用紙識別領域を指定したときに生成される記入情報に基づいて別の用紙を識別した場合に、表示手段に表示する対象を当該別の用紙に切換えるとともに、当該別の用紙についての記入情報が記憶手段に記憶されていれば当該別の用紙についての記入情報を記憶手段から読み出し、記憶手段から読み出した記入情報に基づいて、電子ペンによる筆跡を表示させ、更に、受信手段によって引き続き受信される記入情報に基づいて電子ペンの筆跡をリアルタイムで表示させる。したがって、電子ペンで記入している用紙を代える都度、処理手段は、表示手段の表示を、代えた後の用紙に切換えて、既に記入済みの記入内容を表示するとともに、さらに新しく記入し続けられている記入内容もリアルタイムで表示させる。
【００１０】
または、本考案に係る端末装置は、異なるコード化パターンが印刷された複数の用紙に対して、電子ペンを用いて記入することで、前記電子ペンから少なくとも記入した時のペン先部の位置座標を含む記入情報を受信する端末装置であって、前記記入情報を受信する受信手段と、前記記入情報を記憶する記憶手段と、各用紙に印刷された異なるコード化パターンの相違に基づいて各用紙を識別し、当該用紙に記入された筆跡を表示手段に表示させ、前記電子ペンによって記入された別の用紙に印刷された異なるコード化パターンの相違に基づいて別の用紙を識別した場合に、表示手段に表示する対象を当該別の用紙に切換えるとともに、当該別の用紙についての記入情報が前記記憶手段に記憶されていれば当該別の用紙についての記入情報を前記記憶手段から読み出し、前記記憶手段から読み出した記入情報に基づいて、電子ペンによる筆跡を表示させ、更に、前記受信手段によって引き続き受信される記入情報に基づいて電子ペンによる新たな筆跡をリアルタイムで表示させる処理手段とを備えることを特徴とする。
【００１１】
この端末装置によれば、各用紙に異なるコード化パターンが印刷されているため、端末装置は、電子ペンから受信して記憶手段に記憶する記入情報に基づいて、各用紙を識別することができる。即ち、電子ペンで用紙に記入した内容は、ペン先部の位置座標を含む記入情報として端末装置が受信し、記憶手段に記憶する。そして、処理手段は、各用紙に印刷された異なるコード化パターンの相違に基づいて各用紙を識別し、受信手段によって受信している当該用紙に記入された筆跡を表示手段に表示させる。また、電子ペンによって記入した別の用紙に印刷された異なるコード化パターンの相違に基づいて別の用紙を識別した場合に、表示手段に表示する対象を当該別の用紙に切換えるとともに、当該別の用紙についての記入情報が記憶手段に記憶されていれば当該別の用紙についての記入情報を記憶手段から読み出し、記憶手段から読み出した記入情報に基づいて、電子ペンによる筆跡を表示させ、更に、受信手段によって引き続き受信される記入情報に基づいて電子ペンの筆跡をリアルタイムで表示させる。したがって、電子ペンで記入している用紙を代える都度、処理手段は、表示手段の表示を、代えた後の用紙に切換えて、既に記入済みの記入内容を表示するとともに、さらに新しく記入し続けられている記入内容もリアルタイムで表示させる。
【考案の効果】
【００１２】
本考案に係る端末装置によれば、電子ペンで複数枚の用紙に記入しながら、各用紙を識別しつつ、記入している用紙を代える都度、その用紙に切換えて、これまでの記入内容を表示するとともに、さらに記入し続けられている記入内容も引き続き表示させることができる。
【考案を実施するための最良の形態】
【００１３】
以下、図面を参照しながら、本考案の好適な実施形態について説明する。
【００１４】
＜第１実施形態＞
［プレゼンテーション・システムのシステム構成］
図１に示すように、本第１実施形態におけるプレゼンテーション・システム（情報提供システム）１Ａは、プレゼンテーション用紙２と、表示画面に表示する色を指定するためのパレット用紙３と、聴取者４に対して発表する発表者６が使用する電子ペン７と、電子ペン７から記入情報等を受信してディスプレイ（表示手段）に記入内容を表示する端末装置８Ａ（８）と、端末装置８Ａから表示情報を受信してスクリーン９に映し出すプロジェクター１１とから構成される。
【００１５】
［プレゼンテーション用紙］
プレゼンテーション用紙（単に「プレゼン用紙」とも呼ぶ）２は、図２に示すように、用紙２Ａ，２Ｂ，２Ｃ，２Ｄ（２）が綴じられた文書であり、それぞれの用紙２には、同じパターンのドットパターン（コード化パターン）が全面に印刷され、さらにその上に、日付を記入する日付記入欄１３、ページ番号（識別情報）を記入するページ番号記入欄１４、発表内容を記入するコンテンツ記入欄１６が印刷されている。ドットパターンは、赤外線を吸収するカーボンを含んだインキにより印刷され、各記入欄１３，１４，１６の枠線等の図案は、赤外域に吸収性を持たないインキにより印刷されている。各記入欄１３，１４，１６には、記入欄を内包する記入領域（ユーザエリア）が、例えば図２中、符号１４ａで示す領域のように設定されている。
【００１６】
［パレット用紙］
パレット用紙３は、図３に示すように、電子ペン７で用紙２に記入した筆跡を端末装置８Ａの表示画面やスクリーン９に表示する際の色を指定するための用紙であり、プレゼンテーション用紙２とは異なるドットパターン（コード化パターン）がカーボンを含むインキにより全面に印刷されている。さらに、パレット用紙３は、筆跡の線の色を指定する色指定領域１８と、蛍光色を発する色を指定するための蛍光色指定領域１９と、筆跡の線の太さ（幅）を指定する線幅指定領域２０とを有する。色指定領域１８には、黒、白、黄色、灰色、青、赤、緑、橙等、様々な色が各色を指定する領域（ユーザエリア）１８ａ内に、Ｎ字状（図３中、符号１８ｂで示す）のデザインで、３列５行に整列されて赤外域に吸収性を持たないインキにより印刷されている。蛍光色指定領域１９には、蛍光色の青、黄色、赤の三色が各色を指定する領域（ユーザエリア）１９ａ内に、Ｎ字状（図３中、符号１９ｂで示す）のデザインで、３列に整列されて赤外域に吸収性を持たないインキにより印刷されている。また、線幅指定領域２０には、段階的に異なる線幅の線が各線幅を指定する領域（ユーザエリア）２０ａ内に、Ｎ字状（図３中、符号２０ｂで示す）のデザインで、３列２行に整列されて赤外域に吸収性を持たないインキにより印刷されている。
【００１７】
［ドットパターン］
続いて、プレゼンテーション用紙２やパレット用紙３に印刷されているドットパターン（コード化パターン）について説明する。図４は、用紙２，３に印刷されたドットパターンのドットとそのドットが変換される値との関係を説明する図である。図４に示すように、ドットパターンの各ドットは、その位置によって所定の値に対応付けられている。すなわち、ドットの位置を格子の基準位置（縦線及び横線の交差点）から上下左右のどの方向にシフトするかによって、各ドットは、０〜３の値に対応付けられている。また、各ドットの値は、さらに、Ｘ座標用の第１ビット値及びＹ座標用の第２ビット値に変換できる。このようにして対応付けられた情報の組合せにより、用紙２，３上の位置座標が決定されるよう構成されている。
【００１８】
図５（ａ）は、あるドットパターンの配列を示している。図５（ａ）に示すように、縦横約２ｍｍの範囲内に６×６個のドットが、用紙２，３上のどの部分から６×６ドットを取ってもユニークなパターンとなるように配置されている。これら３６個のドットにより形成されるドットパターンは位置座標（例えば、そのドットパターンがその用紙２，３上のどの位置にあるのか）及びドットパターンアドレス（コード化パターンアドレス）を保持している。図５（ｂ）は、図５（ａ）に示す各ドットを、格子の基準位置からのシフト方向によって、図４に示す規則性に基づいて対応づけられた値に変換したものである。この変換は、ドットパターンの画像を撮影する電子ペン７によって行われる。
【００１９】
［電子ペン］
次に電子ペン７について説明する。図６に示すように、電子ペン７は、その筐体２２の内部に、ＣＰＵ等により構成されるプロセッサ２３、ＲＯＭやＲＡＭといったメモリ２４、アンテナ等により構成されるデータ通信ユニット２６、バッテリー２７、ＬＥＤ２８、ＣＭＯＳカメラ２９、クロック３１、圧力センサ３２、及びインクカートリッジ３３を備える。インクカートリッジ３３の先端は、ペン先部３４となっており、発表者６は、電子ペン７のペン先部３４をプレゼンテーション用紙２（参照図２）に当接させて、日付やページ番号（識別情報）を記入欄１３，１４に記入したり、コンテンツ記入欄１６に発表内容を記入したり、あるいは、端末装置８Ａの画面表示に表示させたい色を指定するために、ペン先部３４を用いてパレット用紙３（参照図３）にマークを記入したり、タップ（ペン先部３４によるパレット用紙３への軽叩）したりする。
【００２０】
バッテリー２７は電子ペン７内の各部品に電力を供給するためのものであり、例えば電子ペン７のキャップ（図示せず）の脱着により電子ペン７自体の電源のオン／オフを行うよう構成させてもよい。クロック３１は、現在時刻（タイムスタンプ）を示す時刻情報を発信し、プロセッサ２３に供給する。圧力センサ３２は、発表者６が電子ペン７によりプレゼンテーション用紙２やパレット用紙３に文字やマークを書いたりタップしたりする際にペン先部３４からインクカートリッジ３３を通じて与えられる圧力、即ち筆圧を検出し、その値をプロセッサ２３へ伝送する。
【００２１】
プロセッサ２３は、圧力センサ３２から与えられる筆圧データに基づいて、ＬＥＤ２８及びＣＭＯＳカメラ２９のスイッチのオン／オフを切換える。即ち、発表者６が電子ペン７でプレゼンテーション用紙２等に文字などを書くと、ペン先部３４に筆圧がかかり、圧力センサ３２によって所定値以上の筆圧が検出されたときに、プロセッサ２３は、発表者６が記入を開始したと判定して、ＬＥＤ２８及びＣＭＯＳカメラ２９を作動させる。
【００２２】
ＬＥＤ２８とＣＭＯＳカメラ２９は、電子ペン７のペン先部３４付近に取り付けられており、筐体２２におけるＬＥＤ２８及びＣＭＯＳカメラ２９と対向する部分には、開口部３６が形成されている。ＬＥＤ２８は、プレゼンテーション用紙２ないしパレット用紙３上のペン先部３４近傍に向けて赤外線を照明する。その領域は、ペン先部３４が用紙２，３に接触する位置とはわずかにずれている。ＣＭＯＳカメラ２９は、ＬＥＤ２８によって照明された領域内におけるドットパターンを撮影し、そのドットパターンの画像データをプロセッサ２３に供給する。ここで、カーボンは赤外線を吸収するため、ＬＥＤ２８によって照射された赤外線は、ドットに含まれるカーボンによって吸収される。そのため、ドットの部分は、赤外線の反射量が少なく、ドット以外の部分は赤外線の反射量が多い。ＣＭＯＳカメラ２９の撮影により、赤外線の反射量の違いから閾値を設けることによって、カーボンを含むドットの領域とそれ以外の領域を区別することができる。したがって、プレゼンテーション用紙２の各欄１３，１４，１６の罫線やパレット用紙３の各指定領域１８〜２０を印刷したインクは、赤外域に吸収性を持たないため、プロセッサ２３は、ドットパターンを認識することができる。なお、ＣＭＯＳカメラ２９による撮影領域は、図５（ａ）に示すような約２ｍｍ×約２ｍｍの大きさを含む範囲であり、ＣＭＯＳカメラ２９の撮影は毎秒５０〜１００回程度の定間隔で行われる。
【００２３】
プロセッサ２３は、発表者６の記入が行われる間、ＣＭＯＳカメラ２９によって供給される画像データのドットパターンから、発表者６が記入するストローク（筆跡）の用紙２，３上におけるＸ，Ｙ座標（単に「座標データ」とも呼ぶ）と用紙２，３に固有のドットパターンアドレス（コード化パターンアドレス）とを連続的に演算していく。すなわち、プロセッサ２３は、カメラ２９によって供給される、図５（ａ）に示されるようなドットパターンの画像データを図５（ｂ）に示すデータ配列に変換し、さらに、Ｘ座標ビット値・Ｙ座標ビット値に変換して、そのデータ配列から所定の演算方法によりＸ，Ｙ座標データ及びドットパターンアドレスを演算する。そしてプロセッサ２３は、クロック３１から発信される現在時刻（タイムスタンプ：記入された時刻情報）、筆圧データ、ドットパターンアドレス及びＸ，Ｙ座標データとを関連付ける。なお、用紙２，３における６×６のドットパターンは、その用紙２，３内で重複することはないため、発表者６が電子ペン７で発表内容等を記入すると、記入された位置が用紙２，３のどの位置に当たるかを、プロセッサ２３による座標演算により特定することができる。
【００２４】
メモリ２４には、電子ペン７を識別するための「pen01 」といった電子ペンＩＤ、ペン製造者番号、ペンソフトウェアのバージョン等のプロパティ情報が記憶されている。そして、データ通信ユニット２６は、ペンＩＤ（電子ペン識別情報）と、時刻情報（タイムスタンプ）と、筆圧データと、ドットパターンアドレスと、Ｘ，Ｙ座標データとを関連付けて、記入情報として端末装置８Ａへ送信する。データ通信ユニット２６による端末装置８Ａへの送信は、 Bluetooth（登録商標）の無線送信によって、即時的かつ逐次的に行われる。
【００２５】
［端末装置］
次に、端末装置８Ａについて説明する。端末装置８Ａは、ハードウェアとして、電子ペン７とのデータ通信が可能なアンテナ装置、ＣＰＵ等のプロセッサ、ＲＯＭやＲＡＭといったメモリ、ディスプレイ、マウスやキーボード等で構成される、パーソナルコンピュータ等で構成される。図７は、端末装置８Ａの機能ブロック図である。端末装置８Ａは、機能的には、送受信手段４１、記憶手段４２、処理手段４３、表示手段４４及びマウスやキーボードといった入力手段４６を備える。そして、端末装置８Ａは、電子ペン７から受信した記入情報に基づいて専用アプリケーション７０を実行することで所定の処理を行う。
【００２６】
送受信手段４１は、アンテナ等により構成され、電子ペン７から記入情報を受信したり、表示手段（ディスプレイ）４４の表示データをプロジェクター１１に送信したりするもので、プロジェクター１１へのデータ送信方式は、有線式であっても無線式であってもよい。
【００２７】
記憶手段４２は、ＲＯＭやＲＡＭといったメモリによって構成される。図８（ａ），（ｂ）に示すように、記憶手段４２は、記入情報に含まれる電子ペン７のペンＩＤごとに、プレゼンテーション用紙２のページ番号記入欄１４に記入されたページ番号によって特定される用紙２Ａ，２Ｂ，…ごとに、記入情報を記憶したり、パレット用紙３へのマーク記入ないしタップによって指定された線の色及び線幅の設定を記憶したりする。また、図８（ｃ）に示すように、記憶手段４２は、プレゼン用紙２に印刷されたドットパターンのドットパターンアドレスとプレゼン用紙２の用紙全体の図案データとを関連付けて記憶している。
【００２８】
また、図８（ｄ）に示すように、記憶手段４２は、パレット用紙３の色指定領域１８及び蛍光色指定領域１９に印刷されているＮ字状のデザインで印刷された各色１８ｂ、１９ｂを指定する領域（ユーザエリア）１８ａ、１９ａにそれぞれ色指定領域番号（エリアＩＤ）を付し、その各色指定領域番号に対応させて、パレット用紙３に印刷された色に応じて「黒」「紫」「黄」…というように指定色及び色データを関連付けて記憶している。また、図８（ｅ）に示すように、記憶手段４２は、パレット用紙３の線幅指定領域２０に印刷されているＮ字状のデザインで印刷された線２０ｂを指定する領域（ユーザエリア）２０ａにそれぞれ線幅指定領域番号（エリアＩＤ）を付し、その各線幅指定領域番号に対応させて、パレット用紙３に印刷された線の幅に応じて、端末装置８Ａの表示画面に表示する線の幅を、０．５ｍｍ、１ｍｍ、２ｍｍ、…（プレゼンテーション用紙２が等倍表示における線幅）というように関連付けて記憶している。
【００２９】
さらに、記憶手段４２は、図９（ａ）に示すように、プレゼン用紙２における用紙全体及び各記入領域（ユーザエリア）（例えば１４ａ）、パレット用紙３における各色の指定領域（ユーザエリア）１８ａ，１９ａ及び各線幅の指定領域（ユーザエリア）２０ａのエリアＩＤと、ユーザエリア名と、ドットパターンアドレスと、用紙種類と、その領域（ユーザエリア）が占める座標領域とを関連付けて定義情報として記憶している。パレット用紙３に関しても、記憶手段４２は、各色指定領域１８（ユーザエリア）の色指定領域番号（エリアＩＤ）、各蛍光色指定領域１９（ユーザエリア）の色指定領域番号（エリアＩＤ）、各線幅指定領域２０（ユーザエリア）の線幅指定領域番号（エリアＩＤ）と、ユーザエリア名と、ドットパターンアドレスと、用紙種類（パレット用紙）と、その各領域（ユーザエリア）が占める座標領域とを関連付けて定義情報として記憶している。ここで、ユーザエリアの座標領域は、図９（ｂ）に示すように、特定の角の座標点（Ｘｎ，Ｙｎ）と、Ｘ方向の幅Ｗｎと、Ｙ方向の高さＨｎとによって定義づけられている。この記憶手段４２は、ＲＯＭやＲＡＭといったメモリによって構成される。
【００３０】
表示手段４４は、ディスプレイ等によって構成され、処理手段４３によって指示された内容を表示する。処理手段４３は、ＣＰＵ等のプロセッサによって構成され、送受信手段４１により電子ペン７から受信した記入情報に基づいて、表示手段４４に対して種々の形態で記入内容を表示させる等の所定の処理を実行する。以下、処理手段４３の指示によって表示手段４４に表示される各表示形態について説明する。
【００３１】
図１０は、処理手段４３が表示手段（ディスプレイ）４４に対してプレゼンテーション用紙２の図案と電子ペン７による記入内容をそのまま表示するウィンドウ５０を示しており、そのウィンドウ５０は、プレゼン用紙２と記入内容を表示するウィンドウ領域５１と、ウィンドウ領域５１の表示を操作するための機能ボタン領域５２を有している。なお、図１０は、プレゼン用紙２全体を表示している状態を示している。
【００３２】
処理手段４３は、送受信手段４１によって受信された記入情報のドットパターンアドレス及び座標データに基づいて、プレゼン用紙２のページ番号記入領域１４ａに番号が記入されたことを文字認識により認識すると、その記入された番号を「ページ番号」（参照図８（ａ））として、他のプレゼン用紙２と識別する。そして、処理手段４３は、送受信手段４１によって受信された記入情報を、「ページ番号」ごとに記憶手段４２に記憶させる。したがって、発表者６が、例えば、プレゼン用紙２Ａのページ番号記入欄１４に「１」を記入してからプレゼン用紙２Ａの日付記入欄１３やコンテンツ記入欄１６に記入すると、その記入情報は電子ペン７から端末装置８Ａへ送信され、端末装置８Ａの処理手段４３は、ページ番号記入欄１４に記入された番号「１」を文字認識で認識し、プレゼン用紙２Ａの「ページ番号」として記憶手段４２に記憶させて、プレゼン用紙２Ａの日付記入欄１３やコンテンツ記入欄１６への記入情報を記憶する領域を確保して、各記入欄への記入情報を記憶させる。
【００３３】
さらに、発表者６が、プレゼン用紙２Ｂのページ番号記入欄１４に「２」を記入してからプレゼン用紙２Ｂの日付記入欄１３やコンテンツ記入欄１６に記入すると、その記入情報は電子ペン７から端末装置８Ａへ送信され、端末装置８Ａの処理手段４３は、ページ番号記入欄１４に記入された番号「２」を文字認識で認識し、プレゼン用紙２Ｂの「ページ番号」として記憶手段４２に記憶させて、プレゼン用紙２Ｂの日付記入欄１３やコンテンツ記入欄１６への記入情報を記憶する領域を確保して、各記入欄への記入情報を記憶させる。以降も同様にして、各プレゼン用紙２Ｃ，２Ｄ（２）に記入される内容を「ページ番号」ごとに記憶手段４２に記憶させることとなる。ここで、発表者６は、別のプレゼン用紙２への記入前には必ず、当該プレゼン用紙のページ番号記入欄１４にページ番号を記入することとする。例えば、プレゼン用紙２Ａへの記入を一旦終えてプレゼン用紙２Ｂへの記入した後、再びプレゼン用紙２Ａに記入する場合は、最初に記入したページ番号「１」の上からなぞるように、再びページ番号「１」を記入してから各記入欄に記入することとなる。
【００３４】
また、処理手段４３は、記憶手段４２に記入情報を記憶させると同時に、その記入情報の座標データに基づいて、プレゼン用紙２に記入された筆跡をそのまま表示手段４４のウィンドウ領域５１に表示させる。ここで、電子ペン７は、プレゼン用紙２への記入が行われる間、座標データとドットパターンアドレスとを連続的に演算し、即時且つ逐次的に記入情報を端末装置８Ａへ送信するため、端末装置８Ａにおけるウィンドウ領域５１の筆跡表示は、電子ペン７によるプレゼン用紙２への記入とほぼ同時にリアルタイムで実現される。
【００３５】
さらに、処理手段４３は、送受信手段４１によって受信されたページ番号記入領域１４ａへの記入情報から、記入されたプレゼン用紙２が変更されたことを認識すると、変更されたプレゼン用紙２への記入内容を表示するようにウィンドウ領域５１への表示内容を切換えさせる。このとき、処理手段４３は、変更後のプレゼン用紙２に既に記入されて記憶手段４２に記憶された情報があれば、それらを記憶手段４２から読み出して、そのプレゼン用紙２に既に記入されていた筆跡を表示させたうえで、電子ペン７から送信されてくる記入情報に基づいて、さらに新しく記入される筆跡をウィンドウ領域５１に表示させていく。
【００３６】
したがって、例えば、発表者６がプレゼン用紙２Ａへの記入を一旦終えプレゼン用紙２Ｂへ記入し始めると、処理手段４３は、ウィンドウ領域５１の表示をプレゼン用紙２Ａからプレゼン用紙２Ｂへ切換えて、電子ペン７から送信されてくる記入情報に基づいて、プレゼン用紙２Ｂへの記入内容（筆跡）をウィンドウ領域５１に表示させていく。そして、発表者６がプレゼン用紙２Ｂへの記入を終えプレゼン用紙２Ａへ再び記入し始めると、処理手段４３は、プレゼン用紙２Ａに既に記入されていた情報を記憶手段４２から読み出して、ウィンドウ領域５１の表示をプレゼン用紙２Ｂからプレゼン用紙２Ａへ切換えて、これまでにそのプレゼン用紙２Ａに記入された筆跡を表示させたうえで、電子ペン７から送信されてくる記入情報に基づいて、プレゼン用紙２Ａへの新たな記入内容（筆跡）を追加してウィンドウ領域５１に表示させていく。
【００３７】
ウィンドウ領域５１に表示させる筆跡の色や線幅は、パレット用紙３を用いて任意に設定することができる。即ち、発表者６がパレット用紙３の色指定領域１８と蛍光色指定領域１９とから任意の色の指定領域（ユーザエリア）１８ａ，１９ａを電子ペン７でマークないしタップし、また、パレット用紙３の線幅指定領域２０から任意の線幅の指定領域（ユーザエリア）２０ａを電子ペン７でマークないしタップする。電子ペン７は、パレット用紙３のドットパターンアドレスと、マークないしタップしたユーザエリアの座標データを含む記入情報を端末装置８Ａへ送信する。端末装置８Ａでは、送受信手段４１によって受信したパレット用紙３への記入情報から、処理手段４３が、記憶手段４２に記憶されたドットパターンアドレスや座標領域と、ユーザエリアとの対応関係（参照図９（ａ））を参照して当該ユーザエリアの用紙種類とエリアＩＤを特定して、更に、色指定領域番号（エリアＩＤ）と指定色と色データの対応関係（参照図８（ｄ））、線幅指定領域番号（エリアＩＤ）と線幅との対応関係（参照図８（ｅ））を参照することで、指定色と指定線幅を認識し、それ以降に受信するプレゼン用紙２への記入情報については、当該指定色及び指定線幅でウィンドウ領域５１に表示させる。なお、色や線幅の指定は、電子ペン７のパレット用紙３へのマークないしタップによって随時変更でき、指定されていない場合は、デフォルトで例えば黒色、０．５ｍｍ幅で表示される。
【００３８】
次に、ウィンドウ領域５１の表示を操作するための機能ボタン領域５２について説明する。処理手段４３は、マウス（入力手段４６）によって「前の用紙」ボタン５３がクリックされたことを認識すると、そのときウィンドウ領域５１に表示していたプレゼン用紙２の「ページ番号」の一つ前のプレゼン用紙２の記入情報を記憶手段４２から読み出して、切換表示させる。同様に、処理手段４３は、マウスによって「次の用紙」ボタン５４がクリックされたことを認識すると、そのときウィンドウ領域５１に表示していたプレゼン用紙２の「ページ番号」の一つ後のプレゼン用紙２の記入情報を記憶手段４２から読み出して、切換表示させる。また、処理手段４３は、マウスのクリックによってページ指定表示欄５６の数値を変更するか、キーボード（入力手段４６）によって数値が直接入力されたことを認識すると、「ページ番号」がその数値であるプレゼン用紙２の記入情報を記憶手段４２から読み出して、切換えて表示させる。
【００３９】
処理手段４３は、マウスによって「画像を保存」ボタン５７がクリックされたことを認識すると、データを保存するディレクトリを設定するウィンドウをポップアップさせて、設定されたディレクトリにそのときウィンドウ領域５１に表示していたプレゼン用紙２の図案及び電子ペン７による筆跡を画像データとして保存する。
【００４０】
また、処理手段４３は、マウスによって「拡大」ボタン５８がクリックされたことを認識すると、ウィンドウ領域５１に表示していたプレゼン用紙２を拡大表示し、「縮小」ボタン５９がクリックされたことを認識すると、ウィンドウ領域５１に表示していたプレゼン用紙２を縮小表示し、「全画面表示」ボタン６１がクリックされたことを認識すると、プレゼン用紙２全体をウィンドウ領域５１に表示させる。なお、拡大表示や縮小表示のズーム率は段階的な所定の値としてもよいし、ズーム率を任意に指定できるようにしてもよい。更に、処理手段４３は、ウィンドウ領域５１にプレゼン用紙２全体が表示されない場合は、ウィンドウ領域５１に表示される画面を左右に移動させるためのスクロールバー表示領域６３や、ウィンドウ領域５１に表示される画面を上下に移動させるためのスクロールバー表示領域６４をアクティブ（操作可能状態）にさせる。
【００４１】
また、処理手段４３は、パレット用紙３を用いて電子ペン７で指定された指定色で指定線幅に対応する大きさのドットを指定色表示領域６２に表示する。したがって、発表者６は、指定色表示領域６２に表示されている色及びドットの大きさにより、ウィンドウ領域５１に描く筆跡の指定色と指定線幅を一目で確認することができる。
【００４２】
［専用アプリケーション］
続いて、端末装置８Ａにインストールされる専用アプリケーション（プログラム）７０について図１１を参照して説明する。図１１は、専用アプリケーション７０のモジュール構成を示す。図１１に示すように、専用アプリケーション７０は、送受信モジュール７１と、記憶モジュール７２と、処理モジュール７３とを有している。
【００４３】
送受信モジュール７１は、送受信手段４１に対して、電子ペン７から送信された特定のプロトコルで作成された記入情報を受信させたり、表示手段４４の表示データをプロジェクター１１に送信させたりする機能を有し、端末装置８Ａにアンテナ等によって送受信手段４１を構成させるモジュールである。
【００４４】
記憶モジュール７２は、記憶手段４２に対して、図９（ａ）に示す定義情報を記憶させたり、図８（ｃ）に示すプレゼン用紙２のドットパターンアドレスと図案データとの対応関係、図８（ｄ）に示す色指定領域番号（エリアＩＤ）と指定色及び色データとの対応関係、図８（ｅ）に示す線幅指定領域番号（エリアＩＤ）と線幅との対応関係を記憶させたり、図８（ａ），（ｂ）に示すように、電子ペン７から送信された記入情報を、ペンＩＤごと、プレゼン用紙２のページ番号ごとに識別して記憶させたり、ペンＩＤごとに指定色及び指定線幅の設定を記憶させたりする機能を有しており、端末装置８Ａにメモリによって記憶手段４２を構成させるモジュールである。
【００４５】
処理モジュール７３は、表示手段４４に対して、プレゼン用紙２に記入された内容を表示させたり、表示するプレゼン用紙２を記入情報に応じて切換えたり、表示画面を操作する種々の機能を有しており、端末装置８Ａにプロセッサによって処理手段４３を構成させるモジュールである。
【００４６】
＜プレゼンテーション・システムによる処理フロー＞
次に、本第１実施形態のプレゼンテーション・システム１Ａによる処理フローを、図１２を参照して説明する。
【００４７】
発表者６はプレゼン（プレゼンテーション）用紙２を複数枚用意し、最初に、プレゼン用紙２Ａのページ番号記入欄１４に対して、電子ペン７のペン先部３４をペン・ダウン（接触）させて、ページ番号「１」を記入し始める。このとき、電子ペン７は、圧力センサ３２によって所定値以上の筆圧が検出されたことによりプレゼン用紙２Ａへの接触を検出し（ステップＳ１０１）、ＬＥＤ２８によって赤外線を照射しつつカメラ２９によって筆跡に沿ってドットパターンを撮像し、プロセッサ２３によって、撮像されたドットパターンの画像データから記入に応じた座標データ（「（Ｘ２，Ｙ２），Ｗ２，Ｈ２」の範囲内の座標データ）及びドットパターンアドレス（「１０８．２０１．１．１」）を演算し、タイムスタンプ、筆圧データ及びペンＩＤ（「pen01」）と関連付けて、記入情報として即時且つ逐次的に端末装置８Ａへ送信する（ステップＳ１０２）。
【００４８】
発表者６がページ番号「１」を書き終え、電子ペン７のペン先部３４をペン・アップ（離脱）させると、電子ペン７は、圧力センサ３２によって所定値以上の筆圧が検出されなくなることによりプレゼン用紙２Ａからの離脱を検出し、端末装置８Ａへの記入情報の送信を中断する（ステップＳ１０３）。続いて発表者６が、プレゼン用紙２Ａの日付記入欄１３やコンテンツ記入欄１６、又は他のプレゼン用紙２Ｂ，２Ｃ…やパレット用紙３に記入するため、電子ペン７のペン先部３４をペン・ダウンさせると（ステップＳ１０４：イエス）、電子ペン７は、ステップＳ１０１〜Ｓ１０４の処理を繰り返して、ステップＳ１０４で、所定時間（例えば、１５秒間）次のペン・ダウンを検出しない場合（ステップＳ１０４：ノー）、端末装置８Ａへの記入情報の送信を終了する。
【００４９】
一方、端末装置８Ａでは、送受信手段４１により電子ペン７からこのプレゼン用紙２Ａの記入情報を受信すると、記憶手段４２に当該記入情報を記憶させつつ（ステップＳ２０１）、処理手段４３は、記入情報に含まれるペンＩＤから当該記入情報がペンＩＤ「pen01」の電子ペン７によって記入されたものであることを特定し、更に記入情報に含まれるドットパターンアドレス（「１０８．２０１．１．１」）に基づいて記憶手段４２により記憶された定義情報（参照図９（ａ））を参照して、当該記入情報に対応する用紙種類（「プレゼン用紙」）を特定し（ステップＳ２０２：プレゼン）、続いて、記入情報に含まれる座標データ（「（Ｘ２，Ｙ２），Ｗ２，Ｈ２」の範囲内の座標データ）に基づいて定義情報を参照して、当該記入情報に対応するユーザエリアがページ番号記入欄１４であると特定する（ステップＳ２０３：イエス）。すると処理手段４３は、当該記入されたページ番号を文字認識で認識し、当該認識した番号「１」がペンＩＤ「pen01」に関するプレゼン用紙２Ａの「ページ番号」として記憶手段４２に記憶されているか確認し、記憶されていなければ新しいページであると判断して（ステップＳ２０４：イエス）、記憶手段４２にプレゼン用紙２Ａの記入情報を記憶する領域を確保する（ステップＳ２０５）。なお処理手段４３は、記入情報を一旦記憶手段４２の一時記憶領域に記憶させ、記憶手段４２の当該記入情報を記憶する領域を特定した段階で、当該記憶領域に記憶させる。
【００５０】
そして、処理手段４３は、ディスプレイ（表示手段４４）のウィンドウ領域５１を、プレゼン用紙２Ａの表示に切換えて（ステップＳ２０６）、ドットパターンアドレスに基づいて記憶手段４２を参照してプレゼン用紙２の図案データ（「１．ｘｙｚ」）及びペンＩＤ「pen01」に関する指定色及び指定線幅の設定を読み出して、プレゼン用紙２Ａの図案とプレゼン用紙２Ａのページ番号記入欄１４に記入された筆跡（ページ番号「１」）を表示させる（ステップＳ２０７）と共に、その表示データを、送受信手段４１によりプロジェクター１１へ送信して、スクリーン９に当該表示データを同期して表示させる（ステップＳ３０１）。ここで、ペンＩＤ「pen01」に関する指定色等の設定が記憶手段４２に記憶されていない場合、処理手段４３は、デフォルトとして例えば指定色「黒」及び指定線幅「０．５」をペンＩＤ「pen01」に対応付けて、記憶手段４２に記憶させる。端末装置８Ａは、次の記入情報を受信すると（ステップＳ２０８：イエス）、ステップＳ２０１〜Ｓ２０８，Ｓ３０１の処理を繰り返して、ステップＳ２０８で、所定時間（例えば、１５秒間）次の記入情報を受信しない場合（ステップＳ２０８：ノー）、記入情報に関する処理を終了する。
【００５１】
次に、線の色や線幅を指定する場合の処理について説明する。線の色や線幅は任意のタイミングで、発表者６がパレット用紙３へのマークないしタップによって指定することで、それ以降に電子ペン７により記入する筆跡に適用するように、端末装置８Ａに設定される。なお、線の色や線幅の設定は、色と線幅のいずれか一方であっても両方であってもよい。
【００５２】
発表者６は、パレット用紙３の色指定領域１８、蛍光色指定領域１９、線幅指定領域２０の中から、任意の領域（ユーザエリア）１８ａ，１９ａ，２０ａを選択して、その領域（例えば「紫」色）に対して電子ペン７のペン先部３４をペン・ダウン（接触）させて、マーク又はタップする。電子ペン７は、圧力センサ３２によってパレット用紙３への接触を検出し（ステップＳ１０１）、カメラ２９によって撮像したドットパターンの画像データから、座標データ（「（Ｘ５，Ｙ５），Ｗ５，Ｈ５」の範囲内の座標データ）及びドットパターンアドレス（「１０８．２０１．１．９」）を演算して記入情報を生成し、端末装置８Ａへ即時且つ逐次的に送信する（ステップＳ１０２）。発表者６がマーク又はタップし終え、電子ペン７のペン先部３４をペン・アップ（離脱）させると、端末装置８Ａへの記入情報の送信を中断する（ステップＳ１０３）。
【００５３】
一方、端末装置８Ａでは、送受信手段４１によって電子ペン７からこのパレット用紙３の記入情報を受信すると、処理手段４３は、記憶手段４２に当該記入情報を記憶させつつ（ステップＳ２０１）、その記入情報に含まれるペンＩＤから当該記入情報がペンＩＤ「pen01」の電子ペン７によって記入されたものであることを特定し、更に記入情報に含まれるドットパターンアドレス（「１０８．２０１．１．９」）に基づいて、定義情報（参照図９（ａ））を参照してパレット用紙３の記入情報であると特定（ステップＳ２０２：パレット）する。続いて処理手段４３は、記入情報に含まれる座標データ（「（Ｘ５，Ｙ５），Ｗ５，Ｈ５」の範囲内の座標データ）に基づいて定義情報を参照して、マークないしタップされた領域（ユーザエリア）のエリアＩＤ（「ｃ０２」）を特定し、更に色指定領域（ユーザエリア）と指定色及び色データとの対応関係（参照図８（ｄ））を参照して、指定色（「紫」）を特定する。そして、それ以降に受信するペンＩＤ「pen01」の電子ペン７によるプレゼン用紙２への記入情報については、指定色（「紫」色）でウィンドウ領域５１に表示させるよう設定する（ステップＳ２０９）。
【００５４】
続いて、プレゼン用紙２の筆跡のリアルタイム表示及び切換え表示処理の詳細について説明する。端末装置８Ａのディスプレイ（表示手段４４）には、ページ番号記入欄１４に「１」と記入されたプレゼン用紙２Ａが表示され（「１」はデフォルトの「黒」色で表示される）、以降ペンＩＤ「pen01」の電子ペン７から受信する記入情報に対する線の指定色は「紫」色に設定されている。
【００５５】
発表者６が、プレゼン用紙２Ａのコンテンツ記入欄１６に対して、電子ペン７のペン先部３４をペン・ダウンさせて（ステップＳ１０１）、発表内容を記入していく。電子ペン７は、プレゼン用紙２Ａに記入された筆跡に沿って撮像したドットパターンの画像データから、座標データ（「（Ｘ３，Ｙ３），Ｗ３，Ｈ３」の範囲内の座標データ）及びドットパターンアドレス（「１０８．２０１．１．１」）を演算して記入情報を生成し、即時且つ逐次的に端末装置８Ａへ送信していく（ステップＳ１０２）。発表者６の記入したストローク（筆跡）ごとに電子ペン７のペン先部３４はペン・アップされるが（ステップＳ１０３）、発表者６がプレゼンテーション２Ａへの記入を終えるまではペン・ダウンが繰り返されるため（ステップＳ１０４：イエス）、電子ペン７はステップＳ１０１〜Ｓ１０４を繰り返し、プレゼン用紙２Ａに記入された筆跡に応じた記入情報が電子ペン７から即時且つ逐次的に端末装置８Ａへ送信される（ステップＳ１０２）。
【００５６】
端末装置８Ａにおいては、送受信手段４１により電子ペン７からプレゼン用紙２Ａのコンテンツ記入欄１６への記入情報を受信する都度、処理手段４３は、記憶手段４２のページ番号「１」に対応した記憶領域に当該記入情報を記憶させつつ（ステップＳ２０１）、記入情報に含まれるペンＩＤから当該記入情報がペンＩＤ「pen01」の電子ペン７によって記入されたものであることを特定し、更に記入情報に含まれるドットパターンアドレス（「１０８．２０１．１．１」）に基づいて記憶手段４２により記憶された定義情報（参照図９（ａ））を参照して、当該記入情報に対応する用紙種類（「プレゼン用紙２」）を特定し（ステップＳ２０２：プレゼン）、続いて、記入情報に含まれる座標データ（「（Ｘ３，Ｙ３），Ｗ３，Ｈ３」の範囲内の座標データ）に基づいて定義情報を参照して、当該記入情報に対応するユーザエリアが、ページ番号記入欄１４ではなく、コンテンツ記入欄１６であると特定する（ステップＳ２０３：ノー）。すると処理手段４３は、当該記入情報に含まれる座標データに基づいて、プレゼン用紙２Ａのコンテンツ記入欄１６に記入された筆跡を、端末装置８Ａのディスプレイに表示中のプレゼン用紙２Ａの図案とページ番号「１」に追加して指定色（「紫」色）で表示するとともに、プロジェクター１１に対して同期させてスクリーン９に表示させる。
【００５７】
図１３は、ある時点における表示手段４４のウィンドウ領域５１の表示を示す。表示手段４４のウィンドウ領域５１には、発表者６によるプレゼン用紙２Ａへの記入内容が、ほぼリアルタイムに表示される。また、端末装置８Ａからは、送受信手段４１によって、ディスプレイ（表示手段４４）に表示している情報がプロジェクター１１へ送信され、スクリーン９には、端末装置８Ａの表示手段４４と同じ表示内容が同期して表示される（ステップＳ３０１）。
【００５８】
一方、発表者６が一旦プレゼン用紙２Ａへの記入を中断し、プレゼン用紙２Ｂへの記入を始める場合、発表者６は電子ペン７を用いて、まずプレゼン用紙２Ｂのページ番号記入欄１４にページ番号「２」を記入する。（ステップＳ１０１）。すると電子ペン７は、プレゼン用紙２Ｂに記入された筆跡に沿って撮像したドットパターンの画像データから、ドットパターンアドレス（「１０８．２０１．１．１」）と座標データ（「（Ｘ２，Ｙ２），Ｗ２，Ｈ２」の範囲内の座標データ）を演算して記入情報を生成し、即時且つ逐次的に端末装置８Ａへ送信する（ステップＳ１０２）。端末装置８Ａでは、記憶手段４２に当該記入情報を記憶させつつ（ステップＳ２０１）、処理手段４３は、記入情報に含まれるペンＩＤから当該記入情報がペンＩＤ「pen01」の電子ペン７によって記入されたものであることを特定し、更に記入情報に含まれるドットパターンアドレスに基づいて定義情報（参照図９（ａ））を参照し、当該記入情報に対応する用紙種類（「プレゼン用紙」）を特定し（ステップＳ２０２：プレゼン）、続いて、記入情報に含まれる座標データに基づいて定義情報を参照して、当該記入情報に対応するユーザエリアがページ番号記入欄１４であると特定する（ステップＳ２０３：イエス）。
【００５９】
すると処理手段４３は、当該記入されたページ番号を文字認識で認識し、当該認識した番号「２」がペンＩＤ「pen01」に関するプレゼン用紙２Ｂの「ページ番号」として記憶手段４２に記憶されているか確認し、記憶されていなければ新しいページであると認識して（ステップＳ２０４：イエス）、記憶手段４２にプレゼン用紙２Ｂの記入情報を記憶する領域を確保する（ステップＳ２０５）。そして、処理手段４３は、表示手段４４のウィンドウ領域５１を、プレゼン用紙２Ａからプレゼン用紙２Ｂの表示へと切換えて（ステップＳ２０６）、ドットパターンアドレスに基づいて記憶手段４２を参照してプレゼン用紙２の図案データ（「１．ｘｙｚ」）及びペンＩＤ「pen01」に関する指定色及び指定線幅の設定（指定色「紫」及び指定線幅「０．５」）を読み出して、プレゼン用紙２Ｂの図案とプレゼン用紙２Ｂのページ番号記入欄１４に記入された筆跡（ページ番号「１」）を表示させる（ステップＳ２０７）と共に、その表示データを、送受信手段４１によりプロジェクター１１へ送信して、スクリーン９に当該表示データを同期して表示させる（ステップＳ３０１）。
【００６０】
図１４は、ある時点における表示手段４４のウィンドウ領域５１の表示を示す。表示手段４４のウィンドウ領域５１及びスクリーン９には、発表者６によるプレゼン用紙２Ｂへの記入内容が、ほぼリアルタイムに表示される。
【００６１】
再度、発表者６がプレゼン用紙２Ａへの記入を始める場合、発表者６は電子ペン７を用いて、まずプレゼン用紙２Ａのページ番号記入欄１４に再びページ番号「１」を記入する。（ステップＳ１０１）。電子ペン７は、プレゼン用紙２Ａのページ番号記入欄１４のドットパターンアドレスと座標データ（「（Ｘ２，Ｙ２），Ｗ２，Ｈ２」の範囲内の座標データ）を含む記入情報を生成し、即時且つ逐次的に端末装置８Ａへ送信する（ステップＳ１０２）。端末装置８Ａでは、処理手段４３は、記憶手段４２に当該記入情報を記憶させつつ（ステップＳ２０１）、記入情報に基づいて当該記入情報が「プレゼン用紙」のページ番号記入欄１４に記入された筆跡に関連するものであると特定する（ステップＳ２０２：イエス，ステップＳ２０３：イエス）。
【００６２】
すると処理手段４３は、当該記入されたページ番号を文字認識で認識し、当該認識した番号「１」がペンＩＤ「pen01」に関するプレゼン用紙２Ａの「ページ番号」として記憶手段４２に記憶されているか確認し、記憶されていれば新しいページでないと認識して（ステップＳ２０４：ノー）、直前まで表示していたプレゼン用紙２Ｂの表示からプレゼン用紙２Ａの表示へと切換えて（ステップＳ２０６）、表示手段４４のウィンドウ領域５１にプレゼン用紙２Ａの図案と、記憶手段４２のページ番号「１」に対応した記憶領域から既に記憶されている記入情報を読み出して、これまでにプレゼン用紙２Ａに記載された筆跡を再現表示したうえで、新たにプレゼン用紙２Ａに記入され続ける記入内容をウィンドウ領域５１にほぼリアルタイムに表示していく。図１５は、ある時点における表示手段４４のウィンドウ領域５１の表示を示す。更に端末装置８Ａからは、送受信手段４１によって、表示手段４４に表示している情報がプロジェクター１１へ送信され、スクリーン９には、端末装置８Ａの表示手段４４と同じ表示内容が同期して表示される（ステップＳ３０１）。
【００６３】
上記のような記入情報に基づいた表示処理のほか、発表者６がマウス（入力手段４６）によって「前の用紙」ボタン５３又は「次の用紙」ボタン５４をクリックすることで、処理手段４３は、その時のウィンドウ領域５１に表示しているプレゼン用紙２の「ページ番号」の一つ前又は一つ後の「ページ番号」であるプレゼン用紙２に対応して記憶されている記入情報を記憶手段４２から読み出して、切換えて表示させることができる。また、発表者６がページ指定表示欄５６の数値をマウス操作によって変更するか、キーボード（入力手段４６）によって数値を入力することによっても、その数値のページ番号のプレゼン用紙２に切換えて表示させることができる。
【００６４】
また、マウス（入力手段４６）によって「拡大」ボタン５８、「縮小」ボタン５９、「全画面表示」ボタン６１をクリックすることにより、ウィンドウ領域５１に表示しているプレゼン用紙２をそれぞれ、拡大表示したり、縮小表示したり、プレゼン用紙２全体をウィンドウ領域５１に表示させたりすることができる。
【００６５】
＜本第１実施形態のプレゼンテーション・システムによる作用効果＞
このプレゼンテーション・システム１Ａによれば、発表者６が電子ペン７を用いてプレゼンテーション用紙２に記入した記入内容をほぼリアルタイムで端末装置８Ａの表示手段（ディスプレイ）４４に表示することができ、さらにプロジェクター１１を使用することによって、聴取者４に示すことができる。また、端末装置８Ａは、電子ペン７から送信されてきている記入情報に応じて、表示手段４４に表示するプレゼン用紙２を自動的に切換えるため、発表者６は、記入している最中のプレゼン用紙２を端末装置８Ａに表示するように操作する手間が省けるため、発表に集中できる。しかも、端末装置８Ａは、プレゼン用紙２に既に記入された記入情報を読み出して表示手段４４に表示したうえで、新たに記入される内容を表示していくため、ある一枚のプレゼン用紙２への記入が中断したとしても、再開したときの新たな記入内容は、これまでの記入内容と続いているものとして聴取者４に把握させることができる。
【００６６】
なお、本第１実施形態では、記憶手段４２は、プレゼン用紙２に印刷されたドットパターンのドットパターンアドレスとプレゼン用紙２の用紙全体の図案データとを関連付けて記憶したが、ページ番号記入欄１４に記入されたページ番号によって特定される用紙２Ａ，２Ｂ…ごとに、ページ番号と発表資料の画像データとを関連付けて記憶するように変形できる。即ち、発表者６はドットパターンの印刷されているプレゼン用紙２Ａ，２Ｂ・・・に予め用意した発表資料を印刷して、ページ番号と発表資料の画像データとを、端末装置８の記憶手段４２に関連付けて記憶しておく。これにより、発表者６が、予め用意した発表資料に従って発表しながら、聴取者４の反応に応じて、プレゼン用紙２に印刷された発表資料に電子ペン７で追加記入していけば、端末装置８は、電子ペン７から送信されてきている記入情報に応じて、記憶手段４２に記憶されている発表資料の画像データに加えて、追記された内容を表示手段４４に表示することができる。
【００６７】
また、本第１実施形態では、各プレゼン用紙２を識別するために、ページ番号記入欄１４にページ番号を記入したが、ページ番号記入欄１４に代えて、図１６及び図１７に示すように、ページ番号指定欄１５からページ番号を選択して指定するように変形できる。この場合、記憶手段４２は、図１８（ａ）に示すように、プレゼン用紙２における各ページ番号指定領域（用紙識別領域：ユーザエリア）１５ａ及び各記入領域（ユーザエリア）、パレット用紙３における各色の指定領域（ユーザエリア）１８ａ，１９ａ及び各線幅の指定領域（ユーザエリア）２０ａのエリアＩＤと、ユーザエリア名と、ドットパターンアドレスと、用紙種類と、その領域（ユーザエリア）が占める座標領域とを関連付けて定義情報として記憶する。さらに記憶手段４２は、図１６及び図１８（ｂ）に示すように、プレゼン用紙２のページ番号指定欄１５に予め印刷されている例えば、(1),(2) …のような各ページ番号１５ｂを内包するページ番号指定領域（用紙識別領域：ユーザエリア）１５ａにそれぞれページ番号指定領域番号（エリアＩＤ）を付し、その各ページ番号指定領域番号に対応させて、画像データを記憶する。
【００６８】
そして、図１７に示すように、各々のプレゼン用紙２には、プレゼン用紙２毎に異なる画像データを印刷するとともに各々のプレゼン用紙２のページ番号指定領域１５ａを電子ペン７で選択しやすいように、そのページ番号指定領域１５ａ以外のページ番号１５ｂに削除線を印刷しておき、電子ペン７によって各プレゼン用紙２のページ番号１５ｂをタップまたはマークすることでプレゼン用紙２を特定する。これにより、上記の変形と同様の効果が得られる。なお、図１７において、各プレゼン用紙２のページ番号指定欄１５には予め例えば、(1),(2) …のような各ページ番号１５ｂを薄い色で印刷しておき、該当するページ番号のみを濃い色で印刷するように変形してもよい。そして、第１実施形態では、図１２のステップＳ２０３で端末装置８Ａは、記入情報に対応するユーザエリアがページ番号記入欄１４であるか否かを判断するが、本変形例では、端末装置８は記入情報に含まれる座標データに基づいて図１８（ａ）に示す定義情報を参照して、その記入情報に対応するユーザエリアがいずれのページ番号指定領域１５ａであるかを特定する。例えば、発表者６が電子ペン７Ａでプレゼン用紙２Ｆのページ番号選択欄１５のうちページ番号１５ｂ「(2) 」にタップしたりチェックマークを記入したりすると、端末装置８は電子ペン７から即時且つ逐次的に記入情報を取得して、その記入情報に含まれる座標データ（「（Ｘ３３，Ｙ３３）、Ｗ３３，Ｈ３３」の範囲内の座標データ）に基づいて定義情報（参照図１８（ａ））を参照して、その記入情報に対応するユーザエリアがエリアＩＤ「ｓ１３」、ユーザエリア名「ページ番号選択欄「２」」のページ番号指定領域１５ａであると特定する。そして、端末装置８は、当該特定したプレゼン用紙２Ｆのページ番号「２」に基づいて、第１実施形態と同様に以降の処理を行う。これにより、上記の変形と同様の効果が得られる。
【００６９】
＜第２実施形態＞
次に第２実施形態プレゼンテーション・システム１Ｂ（１）について説明する。第２実施形態と第１実施形態とが同様の部分については同じ符号を付し、適宜説明を省略する。第２実施形態と第１実施形態とが異なる点は、第１実施形態では、同じドットパターンが印刷されたプレゼンテーション用紙２Ａ，２Ｂ，２Ｃ，２Ｄを、ページ番号記入欄１４に電子ペン７で記入された番号によって識別するのに対し、第２実施形態では、プレゼン用紙２Ｋ，２Ｌ，２Ｍ，２Ｎ（２）に異なるドットパターンを印刷し、それぞれ異なるドットパターンアドレスを付与することによって各プレゼン用紙２を識別する点である。そのため、第２実施形態の端末装置８Ｂ（８）は、図１９（ａ），（ｂ）に示すような定義情報やプレゼン用紙２に印刷されたドットパターンのドットパターンアドレスとプレゼン用紙２Ｋ，２Ｌ…毎に印刷された発表資料の画像データとの対応付け情報を、記憶手段４２に記憶している。また、記入情報に含まれる電子ペン７のペンＩＤごとに、プレゼン用紙２Ｋ，２Ｌ…ごとに記入情報を記憶手段４２に記憶していく（参照図１９（ｃ））。なお、プレゼン用紙２Ｋ，２Ｌ…には、ページ番号記入欄１４を設けなくてよい。図２０に、発表資料の画像データを印刷したプレゼン用紙２Ｋ〜２Ｎに例を示す。
【００７０】
続いて、第２実施形態の処理フローの概略について、図１９及び図２１を参照して説明する。発表者６はプレゼン用紙２Ｋの任意の記入欄（例えば、コンテンツ記入欄１６）に対して、電子ペン７のペン先部３４をペン・ダウンさせて記入し始める。電子ペン７は、圧力センサ３２によってパレット用紙３への接触を検出し（ステップＳ４０１）、カメラ２９によって撮像したドットパターンの画像データから、座標データ（「（Ｘ４２，Ｙ４２），Ｗ４２，Ｈ４２」の範囲内の座標データ）及びドットパターンアドレス（「１０８．２０１．１．３」）を演算して記入情報を生成し、端末装置８Ｂへ即時且つ逐次的に送信する（ステップＳ４０２）。発表者６が記入し終え、電子ペン７のペン先部３４をペン・アップさせると、電子ペン７は、圧力センサ３２によってプレゼン用紙２Ｂからの離脱を検出し、端末装置８Ｂへの記入情報の送信を中断する（ステップＳ４０３）。
【００７１】
端末装置８Ｂでは、送受信手段４１によって電子ペン７からこのプレゼン用紙２Ｋの記入情報を受信すると、処理手段４３は、記憶手段４２に当該記入情報を記憶させつつ（ステップＳ５０１）、その記入情報に含まれるペンＩＤから当該記入情報がペンＩＤ「pen01」の電子ペン７によって記入されたものであることを特定し、更に記入情報に含まれるドットパターンアドレス（「１０８．２０１．１．３」）に基づいて、定義情報（参照図１９（ａ））を参照してプレゼン用紙２Ｋの記入情報であると特定する（ステップＳ５０２：プレゼン）。続いて処理手段４３は、ドットパターンアドレスがそれまで受信していた記入情報に含まれるドットパターンアドレスと異なるか否かによって、新しいページ（別のプレゼン用紙２）であるか否かを判断し、新しいページであると判断した場合は（ステップＳ５０３：イエス）、表示手段４４のウィンドウ領域５１の表示を当該プレゼン用紙２Ｋに切換えて（ステップＳ５０４）、ドットパターンアドレスに基づいて記憶手段４２を参照してプレゼン用紙２Ｋに対応付けて記憶された発表資料の画像データ（「７．ｘｙｚ」）及びペンＩＤ「pen01」に関する指定色及び指定線幅の設定を読み出して、プレゼン用紙２Ｋの図案とプレゼン用紙２Ｋのコンテンツ記入欄１６に記入された筆跡を表示させる（ステップＳ５０５）。また処理手段４３は、その表示データを、送受信手段４１によりプロジェクター１１へ送信して、スクリーン９に当該表示データを同期して表示させる（ステップＳ６０１）。
【００７２】
＜本第２実施形態のプレゼンテーション・システムによる作用効果＞
第２実施形態のプレゼンテーション・システム１Ｂによれば、発表者６が電子ペン７を用いてプレゼンテーション用紙２に記入した記入内容をほぼリアルタイムで端末装置８Ｂの表示手段（ディスプレイ）４４に表示することができ、さらにプロジェクター１１を使用することによって、聴取者４に示すことができる。また、プレゼン用紙２ごとに異なるドットパターンアドレスに基づいて、端末装置８Ｂは記入情報からどのプレゼン用紙２に記入された筆跡に関連するものであるかを識別することができるため、異なるプレゼン用紙２に換えて記入する度ごとに、ページ番号記入欄１４にそのプレゼン用紙２のページ番号を記入したり指定したりする手間なく、プレゼン用紙２を自動的に切換えてディスプレイ（表示手段４４）やスクリーン９に表示させることができる。また、プレゼン用紙２ごとに異なるドットパターンに対応して、それぞれ異なる図案データ（画像データ）を記憶手段４２に記憶させることで、あるプレゼン用紙２の図案を他のプレゼン用紙２の図案と異ならせるように構成することもでき、ドットパターンアドレスと予め用意した発表資料の画像データとを、記憶手段４２に対応付けて記憶しておくことで、第１実施形態の変形例と同様の効果がより簡便に得られる。
【００７３】
なお、上記第１実施形態とその変形例、及び第２実施形態では、ドットパターンアドレスやページ番号と、プレゼン用紙２又は発表資料の画像データとを、端末装置８の記憶手段４２に対応付けて記憶することとしたが、本考案はこれに限られず、図案データや画像データ以外にも映像データ等をドットパターンアドレスやページ番号と対応付けて記憶することとしても良い。
【００７４】
また上記実施形態では、パレット用紙３とプレゼン用紙２とを、別々の用紙として分離して構成したが、本考案はこれに限られず、パレット用紙３をプレゼン用紙２の一部として一体化して構成することとしても良い。
【図面の簡単な説明】
【００７５】
【図１】第１実施形態におけるプレゼンテーション・システムのシステム構成図である。
【図２】プレゼンテーション用紙を示す図である。
【図３】パレット用紙を示す図である。
【図４】ドットパターンにおけるドットの配置と変換される値との関係を示す説明図である。
【図５】（ａ）は、ドットパターンを模式的に示し、（ｂ）は、それに対応する情報の例を示す図である。
【図６】電子ペンの構造を示す概略図である。
【図７】端末装置の機能ブロック図である。
【図８】第１実施形態の端末装置の記憶手段によって記憶される情報のデータ構造を示す概念図であり、          （ａ）は、記入情報を記憶する領域のデータ構造を示す概念図であり、          （ｂ）は、ペンＩＤごとの指定色及び指定線幅の設定情報のデータ構造を示す概念図であり、          （ｃ）は、ドットパターンアドレスとプレゼンテーション用紙の図案データとの関連付け情報のデータ構造を示す概念図であり、          （ｄ）は、色指定領域番号と指定色と色データとの関連付け情報のデータ構造を示す概念図であり、          （ｅ）は、線幅指定領域番号と線幅の関連付け情報のデータ構造を示す概念図でありを示す。
【図９】（ａ）は、第１実施形態の端末装置の記憶手段によって記憶される定義情報のデータ構造を示す概念図であり、          （ｂ）は、座標領域の規定を説明する図である。
【図１０】端末装置においてプレゼンテーション用紙の図案を表示した状態を示す図である。
【図１１】端末装置にインストールされる専用アプリケーションのモジュール構成図である。
【図１２】第１実施形態のプレゼンテーション・システムによる処理フローである。
【図１３】ウィンドウ領域にプレゼンテーション用紙２Ａを表示した状態を示す図である。
【図１４】ウィンドウ領域にプレゼンテーション用紙２Ｂを表示した状態を示す図である。
【図１５】ウィンドウ領域にプレゼンテーション用紙２Ａを表示した状態を示す図である。
【図１６】第１実施形態の変形例のプレゼンテーション用紙を示す図である。
【図１７】第１実施形態の変形例のプレゼンテーション用紙に発表資料を印刷した例を示す図である。
【図１８】第１実施形態の変形例の端末装置の記憶手段によって記憶される情報のデータ構造を示す概念図であり、            （ａ）は、定義情報のデータ構造を示す概念図であり、            （ｂ）は、エリアＩＤと発表資料の図案データとの関連付け情報のデータ構造を示す概念図である。
【図１９】第２実施形態の端末装置の記憶手段によって記憶される情報のデータ構造を示す概念図であり、            （ａ）は、定義情報のデータ構造を示す概念図であり、            （ｂ）は、ドットパターンアドレスとプレゼンテーション用紙の図案データとの関連付け情報のデータ構造を示す概念図である。
【図２０】第２実施形態のプレゼンテーション用紙に発表資料を印刷した例を示す図である。
【図２１】第２実施形態のプレゼンテーション・システムによる処理フローである。
【符号の説明】
【００７６】
１，１Ａ，１Ｂ…プレゼンテーション・システム、２，２Ａ〜２Ｎ…プレゼン用紙（プレゼンテーション用紙）、３…パレット用紙、７…電子ペン、８，８Ａ，８Ｂ…端末装置、９…スクリーン、１１…プロジェクター、４１…送受信手段、４２…記憶手段、４３…処理手段、４６…入力手段、５１…ウィンドウ領域。
【図１】
0003137005.tif 000003
【図２】
0003137005.tif 000004
【図３】
0003137005.tif 000005
【図４】
0003137005.tif 000006
【図５】
0003137005.tif 000007
【図６】
0003137005.tif 000008
【図７】
0003137005.tif 000009
【図８】
0003137005.tif 000010
【図９】
0003137005.tif 000011
【図１０】
0003137005.tif 000012
【図１１】
0003137005.tif 000013
【図１２】
0003137005.tif 000014
【図１３】
0003137005.tif 000015
【図１４】
0003137005.tif 000016
【図１５】
0003137005.tif 000017
【図１６】
0003137005.tif 000018
【図１７】
0003137005.tif 000019
【図１８】
0003137005.tif 000020
【図１９】
0003137005.tif 000021
【図２０】
0003137005.tif 000022
【図２１】
0003137005.tif 000023